(57)【要約】【課題】キーボード装置の小型化、軽量化を図り、さらに操作性及び信頼性の向上を図るとともに、携帯端末装置の装着を容易なものとする為、携帯便利な構造のキーボード装置を提供する。【解決手段】キーボードを構成するキースイッチを、操作部とスイッチ部に分離可能である構造とし、キースイッチ部は本体フレーム上に固定されており、操作時においてはスイッチング動作が保証され、非操作時には操作ユニットとスイッチ部を所定間隔にずらすことにより、収納時（折畳み時等）にメンブレンシートのへたりを防ぎ、スイッチングの信頼性の向上を図ることができ、さらに薄型・小型軽量化することにより携帯情報端末装置の装着を容易なものとしている。【選択図】　　図１
2004038914.tif 000002
【特許請求の範囲】
【請求項１】
キーボードを構成するキースイッチを操作部とスイッチ部とに分離可能な構造とし、隣接する複数個のキースイッチの操作部をユニット化し、該操作ユニットをキーボードの本体フレーム内で移動可能とするキーボード装置において、キーボードのスイッチ部は本体フレーム上に固定されており、操作時においては操作部とスイッチ部間の相対位置が確保され、すべてのキースイッチのスイッチング動作が保証されているが、収納時（非操作時）には操作ユニットを本体フレーム内で所定間隔ずらすことにより、スイッチングの信頼性を向上していることを特徴とするキーボード装置。
【請求項２】
請求項１記載のキーボード装置において、操作ユニットを構成するハウジングは、薄板鋼板のプレス加工により形成されたものよりなり、スライド方向側面部はコの字型に形成されていることを特徴とするキーボード装置。
【請求項３】
請求項１記載のキーボード装置において、操作ユニットを構成するハウジングにはロックスプリングが取り付けられており、本体フレームの一部に形成されている２箇所の溝に嵌まり込み、操作ユニットとスイッチ部との相対位置を２値に設定できることを特徴とするキーボード装置。
【請求項４】
請求項１記載のキーボード装置において、接手により接続されている左右の取付板の一面にキーボード装置を取り付け、他面に携帯情報端末装置を取り付けたことを特徴とするキーボード装置。
【請求項５】
携帯情報端末装置の長手方向の一端部とキーボード装置の長手方向端部とを回転軸で連結したことを特徴とする請求項１記載のキーボード装置。
【請求項６】
キーボード装置の長手方向側面部又は端部に情報端末装置との接続部を有し、情報端末装置に信号送信可能であることを特徴とする請求項１記載のキーボード装置。
【請求項７】
複数のキースイッチを収容するハウジングの長手方向の両端をスライド移動可能となるように取り付けると共に、隣接するハウジング間を一方のハウジングから延接させた連結アームでスライド移動可能となるように連結することで、一つのハウジングをスライド移動させる際に各ハウジングが連動して異動するキーピッチ可変型のキーボド装置において、ハウジング間に生ずる空間部に文字，絵情報が表示されることを特徴とするキーボード装置。
【請求項８】
請求項１記載のキーボード装置において、操作部ユニットとスイッチ部ユニット間に発光体を取り付けていることを特徴とするキーボード装置。
【請求項９】
請求項８記載のキーボード装置において、マトリックス状に配線された複数個の電極と対向する電極間には発光体が存在するシートが挿入され、キースイッチに対応した貫通穴を設けた表示シートよりなることを特徴とするキーボード装置。
【発明の詳細な説明】
【０００１】
【産業上の利用分野】
本発明は，キーピッチ間隔が伸縮可能なキースイッチ群を有し，折畳み可能で，軽量かつ携帯容易であり、信頼性の高いかつ情報端末装置の組み込み可能なキーボード装置に関するものである。
【０００２】
【従来の技術】
従来より小型キーボード装置に携帯情報端末装置を組み合わせたキーボード装置は既に商品化されている。しかしキーボード装置の小型化に伴い、軽量で携帯性容易であり、キー操作が容易でスピード性があり、かつ信頼性の高いキーボード装置は未だ開発されていない。
【０００３】
【発明の解決しようとする課題】
本発明は、上記従来の問題点を解決し、操作時において操作性に優れ、信頼性が高く、軽量で携帯性に優れ、かつ携帯情報端末装置の装着可能なキーボード装置を提供せんとするものである。
【０００４】
【課題を解決する手段】
本発明は、かかる課題を解決する為になされたものであり、キーボード装置におけるキースイッチを操作部とスイッチ部に分離可能な構造とし、非操作時（収納時、折畳時）においては、操作部とスイッチ部とが所定間隔ずれることにより、スイッチ部のクリープを防ぎキーボード装置の信頼性を高めるとともに、非操作時においては、キーボード装置の厚味を薄くして携帯便利とすると共に、操作ユニットを構成するハウジングは、ステンレス製の薄板鋼板の一体品により構成されており、キーボード装置の軽量化を可能としているものである。
【０００５】
キーボードを構成するキースイッチは操作部とスイッチ部に分離可能な構造となっており、キースイッチの操作部をユニット化し、キーボードの本体フレーム内で移動可能となっている。スイッチ部は本体フレーム上で固定され、操作時においては操作部とスイッチ部間の位置はキースイッチのスイッチング動作が可能となるよう確保され、キーボードの収納時・折畳時には操作部とスイッチ部間の位置をずらす構造となっており、キートップが押し下げられてもスイッチは閉成されず、キートップ押し下げ状態が長期に及んでもメーンブレンシートにはクリープは発生せず、スイッチングの信頼性を向上させ得る構造となっている。
【０００６】
操作ユニットを構成するハウジングは、ステンレス製薄板でプレス加工されており、ハウジングのスライド方向側面部はコの字型に形成され強度を補強する構造となっている。
【０００７】
操作ユニットを構成するハウジングにはロックスプリングが取り付けられ、本体一部に形成されている２ヶ所の溝に嵌まり込み、操作部とスイッチ部間の相対位置をキースイッチングが可能な位置とずらした位置との２値に設定する構造となっている。
【０００８】
接手により連結されている左右の取付板の一面にキーボード装置を取り付け，他の一面にＰＤＡ、携帯電話等の携帯情報端末装置を取り付ける構造となっている。
【０００９】
キーボード装置の長手方向端部と携帯情報端末装置の長手方向端部とを回転軸で連結し、キーボードと携帯情報端末装置間に信号送信が可能な構造となっている。
【００１０】
キーボード装置の長手方向端部又は側面部に携帯情報端末装置との接続部を有し、携帯情報端末装置間で信号を送信可能である。
【００１１】
複数のキースイッチを収容するハウジングの長手方向側面の両端を、スライド移動が可能となるようにし、隣接するハウジング間において一方のハウジングからの連結アームで連結しスライド移動可能となるように連結し、一つのハウジングをスライド移動させる際、各ハウジングが連動して移動するキーピッチ可変型のキーボード装置であって、ハウジング間に生ずる空間部に文字，絵情報が表示される構造となっている。
【００１２】
操作部ユニットとスイッチ部ユニット間にＥＬ表示パネル，光偏向パネルまたはＬＥＤ等の発光体を装着しているキーボード装置。
【００１３】
操作部ユニットとスイッチ部ユニット間において、マトリックス状に配線された複数個の電極と対向する電極間には発光体が存在するシートが挿入されており、キースイッチに対応した貫通穴を設けた表示ユニットシートよりなるキーボード装置。
【００１４】
【発明の実施の形態】
本発明の実施の形態について、図１〜図２３に基いて説明する。図１は、本発明によるキーボード装置の操作時の状態を示す外観図である。図１ａは平面図、図１ｂは側面図である。１はキースイッチ群であり、２は支持パネル、２５は左支持パネル、２６は右支持パネルである。
【００１５】
キーボード装置は、基本的に操作部とスイッチ部より構成され、操作部とスイッチ部間の相対位置は２値に設定されている。２２は分割線であり、分割線２２によりキーボードは左右に分割されており、ヒンジ４により連結されている。１１０ａが左キーボード、１１０ｂが右キーボードである。左右キーボード装置の操作部ユニットを内側に寄せると，操作部センターとスイッチ部センターとが一致して操作状態となり、スイッチング動作が保証される。なおスイッチ部は本体フレーム上に固定されている。非操作時（収納時）には、左右の操作ユニットを外側に寄せると、各列のキートップは、左右の２グループに分割され、キーボードの分割線２２上に存在しなくなり、キーボードは折り曲げ可能となり、その状態においては、操作部センターとスイッチ部センターはオフセットされており、キートップが押し下げられてもスイッチは閉成されず、キートップ押下状態が長時間に及んでも、メンブレンシートにクリープ現象は発生せず、スイッチングの信頼性が保証されるのである。
【００１６】
図２は、折畳み式キーボード装置においてＰＤＡ装置を装着した場合の折畳み時の外観図であり、図２ａは平面図、図２ｂ及び図３ｃは側面図である。５はＰＤＡ装置、５１は液晶デイスプレイ、５２及び５３は操作パネル、４１はヒンジ、２５は左指示パネル、２６は右支持パネルである。
【００１７】
図３は、ＰＤＡ装置を装着した場合の操作時の外観図である。図３ａは平面図，図３ｂ及び図３ｃは側面図である。図３ｃにおいてＰＤＡ装置は図２のキーボードの折畳時より２４０度回転させた状態となっている。
【００１８】
図４は、操作ユニットを構成する右ハウジング本体を示すものである。図４ａは平面図，図４ｂ及び図４ｃは側面図である。３はハウジング本体でありステンレス製でプレス加工により成形された一体品である。３１はドームスプリング突起の貫通穴群、３２はドームスプリングの位置決め片群、３３、３３ａはスライド部、３４，３５はロックスプリング取付用穴である。
【００１９】
図５は、右ハウジングの組立図であり、図５ａは平面図、図５ｂ及び図５ｃは側面図である。３６は右杷手を取り付けた状態を示す。３７はステンレス製のロックスプリングである。
【００２０】
図６は、ロックスプリングを示す。図６ａは平面図、図６ｂは側面図である。
【００２１】
図７は、右杷手を示す。図７ａは平面図、図７ｂは側面図である。材質はプラスチック製である。
【００２２】
図８は、折畳式キーボードに使用する支持パネル組立図を示す。図８ａは平面図，図８ｂ及び図８ｃは側面図である。２５は左支持パネル、２６は右支持パネル、２２は分轄線であり、４２はヒンジ部である。２９、２９ａはコの字型に成形されており、ハウジング本体３が左右にスライドする場合のガイド部分となっている。２５１，２６１はロックスプリング３７が入り込む位置決め用穴であり，左右支持パネルに２個所に所定間隔に設置されている。
【００２３】
図９はメンブレンシートを示す。９がメンブレンシート本体、９１は折畳式キーボードの場合の可ぎょう部である。
【００２４】
図１０は、キースイッチ部断面を示す。図１０ａは操作時のキー間隔を示す図であり、図１０ｂは非操作時のキー間隔を示す図である。１１１はキートップ、１１２はパンタグラフ、１１３はドームスプリング、１１４はホルダー、３はハウジングである。２６は支持パネル、９はメンブレンシート、９５はＥＬ表示パネル又は光偏向パネル、９６は絵文字印刷フイルムである。
【００２５】
図１１は、キーボード操作時においてキースイッチハウジング間の空間部１２に絵文字等が表示される構造となっている。本例においては、携帯電話６を装着した場合の実施例である。
【００２６】
図１２は、図１１におけるキーボード装置の非操作時（収納時）の状態を示す平面図である。６１はコネクターである。
【００２７】
図１３は、折畳式キーボード装置において、取付板の一端に携帯情報端末装置を取付け，他の一端に折畳式キーボードを取付けるための取付板の構造を示すものである。図１３ａは平面図、図１３ｂは側面図である。２０１は左取付板、２０２は右取付板であり、接手４３により連結されている。左取付板２０１の裏面２０１ａに携帯情報端末装置を接着剤等にて取付け、右取付板２０２の裏面２０２ａにキーボード装置を熔接等にて取付ける構造となっている。図２はその一実施例であり、ＰＤＡ装置を取付けた状態を示すものである。
【００２８】
図１４は、折畳式キーボード装置において、長手方向端部の回転接手を介して携帯電話を装着した場合の実施例である。１００は折畳式キーボード、６は携帯電話、１０１は回転接手である。
【００２９】
図１５は、図１４における回転接手を介して、折畳式キーボードと携帯電話とを装着・接続した際における操作状態を示すものであり、図１４ａは平面図、図１４ｂは側面図である。１００は操作状態の折畳式キーボード装置、６は携帯電話、１０１は回転接手である。
【００３０】
図１６は、折畳式キーボード装置において、携帯情報端末装置を装着する為のコネクターを長手方向端部に装着した場合のものである。６１がコネクターである。
【００３１】
図１７は、図１６における折畳式キーボード装置に装着したコネクターを介して携帯電話を取付けた場合の操作状態を示すものである。
【００３２】
図１８は、表示パネル（図２０）を挿入した場合のキーボード装置の操作時の状態を示す。図１８ａは平面図、図１８ｂは側面図である。絵文字１３がシフトハウジング　間に表示されていることが分る。図１８に示すキーボード装置は、縦方向に複数個のスイッチ操作部が一体化されたシフトハウジング３０（図１９）において、その両端部３９、３９ａに形成されたスライド部が、支持板端部に形成されているガイド内を横方向にスライドするキーピッチ拡大型キーボード装置（特願２００２−１１９９５３号においてその構造を説明している）に表示部機能を付与したもので、シフトハウジング間に生ずる空間部１３に文字、絵，情報が表示される。
【００３３】
各キーに対応する文字情報をコード化して、本体側に送信できると共に、操作部とスイッチ部間に表示部が存在するので、本体側からの信号を受け特定キーに対応する表示部が点灯できるので、操作ガイダンス機能が付与されている。文字に代わり絵が表示されており、各キー文字に点灯表示できるので，例えば複数個の商品群より直接視覚的に選択入力が可能である。
【００３４】
図２０は、ＥＬ表示パネル９５の平面図である。ＥＬ表示パネル９５は、上層電極９５１、ＥＬ発光体９５２、下層電極９５３の３層からなり、プラスチックフイルム上に下層電極９５３が蒸着又は印刷されており、その上にＥＬ発光体９５２が蒸着又は印刷されており，更にＥＬ発光体９５２の上に上層電極９５１が蒸着又は印刷されている。図２１は上層電極９５１を示し、図２２はＥＬ発光体９５２、図２３は下層電極９５３を示す。対向する上下電極間に約９０Ｖの電圧をパルシブに印加すると、その部分が発光する。ＥＬ表示パネル９５はメンブレンシート９上に設置されている。ＥＬ表示パネル９５の厚味は薄く可ぎょう性にとみ、キートップ１１１を押し下げした際ドームスプリング１１３のプッシャー部分は、表示パネル９５を介してメンブレンシート９を押し下げメンブレンスイッチは閉成する。表示パネル９５が厚い場合は，プッシャーが直接メンブレンシート９を押し下げることができるよう丸穴９５０群（図２０）を設ける。
【００３５】
図２４は、図１０における絵文字フイルム９６の一例を示すものである。
【図面の簡単な説明】
【図１】本発明に係わるキーボード装置の操作時の全体図である。
【図２】本発明に係わる折畳式キーボード装置に情報端末装置を装着した場合の外観図。
【図３】本発明に係わる折畳式キーボード装置に情報端末装置を装着した場合の操作時の外観図である。
【図４】本発明に係わるキーボード装置の右ハウジング本体を示す外観図である。
【図５】本発明に係わるキーボード装置の右ハウジングの組立外観図である。
【図６】本発明に係わるキーボード装置のロックスプリングを示す。
【図７】本発明に係わるキーボード装置の右杷手を示す。
【図８】本発明に係わる折畳式キーボード装置の支持パネルの組立図を示す。
【図９】本発明に係わるキーボード装置のメンブレンシートの平面図を示す。
【図１０】本発明に係わるキーボード装置のスイッチ部断面を示す。
【図１１】本発明に係わるキーボード装置の操作時においてキーボード面に絵文字を表示する場合の実施例を示す。
【図１２】本発明に係わるキーボード装置の収納時の状態を示す外観図である。
【図１３】本発明に係わる折畳式キーボード装置の取付板の構造を示す。
【図１４】本発明に係わる折畳式キーボード装置に携帯電話を装着した場合の外観図を示す。
【図１５】本発明に係わる折畳式キーボード装置に携帯電話を装着した場合の操作時の状態を示すものである。
【図１６】本発明に係わる折畳式キーボード装置にコネクターを装着した場合の外観図。
【図１７】本発明に係わる折畳式キーボード装置にコネクターを介して携帯電話を装着した場合の外観図で示す。
【図１８】本発明に係わる折畳式キーボード装置の表示パネルを挿入した場合の操作状態を示す。
【図１９】本発明に係わる折畳式キーボード装置のシフトハウジングを示す。
【図２０】本発明に係わる折畳式キーボード装置におけるＥＬ表示パネルを示す。
【図２１】本発明に係わる折畳式キーボード装置における上層電極を示す。
【図２２】本発明に係わる折畳式キーボード装置におけるＥＬ発光体を示す。
【図２３】本発明に係わる折畳式キーボード装置における下層電極を示す。
【図２４】本発明に係わる折畳式キーボード装置における絵文字フイルムの一例を示す。
【符号の説明】
１　　　　　キースイッチ群　　　　　　２６　　　　右支持パネル
１２　　　　空間部　　　　　　　　　　２９，２９ａ　支持パネルガイド部
１３　　　　絵文字　　　　　　　　　　２０１　　　左取付板
１００　　　キーボード装置　　　　　　２０１ａ　　左取付板裏面
１０１　　　回転接手　　　　　　　　　２０２　　　右取付板
１１０、１１０ａ　左及び右キーボード装置　　２０２ａ　右取付板裏面
１１１　　　キートップ　　　　　　　　２５１　　　ロックスプリング位置決
１１２　　　パンタグラフ　　　　　　　　　　　　　め用穴
１１３　　　ドームスプリング　　　　　２６１　　　ロックスプリング位置決
１１４　　　ホルダー　　　　　　　　　　　　　　　め用穴
２　　　　　支持パネル　　　　　　　　３　　　　　ハウジング本体
２２　　　　分割線　　　　　　　　　　３０　　　　シフトハウジング
２５　　　　左支持パネル
３１　　　　ドームスプリング突起の貫通穴　５１　　液晶デイスプレイ群　　　　　　　　　　　５２　　　　操作パネル
３２　　　　ドームスプリング決め片群　５３　　　　操作パネル
３３，３３ａ　スライド部　　　　　　　６　　　　　携帯電話
３４　　　　ロックスプリング取付用　　６１　　　　コネクター
３５　　　　ロックスプリング取付用穴　９　　　　　メンブレンシート
３６　　　　右杷手　　　　　　　　　　９１　　　　可ぎょう部
３７　　　　ロックスプリング　　　　　９２　　　　接続端子
３９，３９ａ　スライド部　　　　　　　９５　　　　ＥＬ表示パネル又は光偏
４　　　　　ヒンジ部　　　　　　　　　　　　　　　向パネル
４１　　　　ヒンジ　　　　　　　　　　９５１　　　上層電極
４２　　　　ヒンジ　　　　　　　　　　９５２　　　ＥＬ発光体
４３　　　　ヒンジ　　　　　　　　　　９５３　　　下層電極
５　　　　　ＰＤＡ　　　　　　　　　　９６　　　　絵文字フイルム
【図１】
2004038914.tif 000003
【図２】
2004038914.tif 000004
【図３】
2004038914.tif 000005
【図４】
2004038914.tif 000006
【図５】
2004038914.tif 000007
【図６】
2004038914.tif 000008
【図７】
2004038914.tif 000009
【図８】
2004038914.tif 000010
【図９】
2004038914.tif 000011
【図１０】
2004038914.tif 000012
【図１１】
2004038914.tif 000013
【図１２】
2004038914.tif 000014
【図１３】
2004038914.tif 000015
【図１４】
2004038914.tif 000016
【図１５】
2004038914.tif 000017
【図１６】
2004038914.tif 000018
【図１７】
2004038914.tif 000019
【図１８】
2004038914.tif 000020
【図１９】
2004038914.tif 000021
【図２０】
2004038914.tif 000022
【図２１】
2004038914.tif 000023
【図２２】
2004038914.tif 000024
【図２３】
2004038914.tif 000025
【図２４】
2004038914.tif 000026